(57)【特許請求の範囲】
【請求項１】
スポンジ、天然綿、人口綿を素材とするクッション材が充填された、柔軟な布地を縫製してなるカバーの中央部を境として、前記クッション部材を左右均等に振り分けると共に、前記中央部の全域に亘る上下の布地を縫製することにより、該縫製部分を連結部として連結されるように形成される左右のマットを、前記連結部を折れ曲がり部分として互いに持ち上がることで形成される正面Ｖ字状を保持するように構成し、前記連結部上にペットの重みが作用すると、連結部がその全域に亘って折れ曲がると共に、該連結部を境に左右のマットが持ち上がることによって、該両マットのマット面がペットの両側部を支えるようにしているペット用マット。
【請求項２】
消臭手段を含む請求項１に記載のペット用マット。
【請求項３】
抗菌手段を含む請求項１又は請求項２に記載のペット用マット。
【発明の詳細な説明】
【技術分野】
【０００１】
本発明は、ペット用マットに関し、詳しくは、犬や猫等のペットに対して床ずれを防止するためのマットに関する。
【背景技術】
【０００２】
最近、高齢化や事故・病気、これら病気や怪我の治療のため、寝たきり状態であったり起立が困難であったりする犬や猫等のペットが増えており、前記のようなペットにおいては、ほとんどの時間を寝ていることから中には床ずれを起こす者もいる。
そのため、現在では、ペットの床ずれを防止するのに軟らかいマットを使用し、このマット上にペットを寝かせている。
ところで、現在使用されているマットは、人が使用するような平たいものであって、前記したような弱っているペットの場合、伏臥位が維持できず横転してしまい、また、自ら伏臥位まで復帰できず、床ずれを起こしてしまう可能性が高い。
そのため、飼い主や獣医師等の管理者が目配りをし、伏臥位に復帰させるようにしているものの、これを２４時間行うのは無理であり、管理者に対する負担が極めて大きい上に、ペットの床ずれを防止するのが難しいものであって、管理者の負担を軽減しながらペットの床ずれを防止することができるマットが望まれている。
なお、本発明に関連する先行技術文献情報に関しては、本願出願人の知り得る範囲において無い。
【発明の開示】
【発明が解決しようとする課題】
【０００３】
そこで、本発明は、管理者の負担を軽減しながらペットの床ずれを防止することを課題とし、この課題を解決するペット用マットの提供を目的とする。
【課題を解決するための手段】
【０００４】
前記目的を達成するために本発明が採用した技術的手段は、スポンジ、天然綿、人口綿を素材とするクッション材が充填された、柔軟な布地を縫製してなるカバーの中央部を境として、前記クッション部材を左右均等に振り分けると共に、前記中央部の全域に亘る上下の布地を縫製することにより、該縫製部分を連結部として連結されるように形成される左右のマットを、前記連結部を折れ曲がり部分として互いに持ち上がることで形成される正面Ｖ字状を保持するように構成し、前記連結部上にペットの重みが作用すると、連結部がその全域に亘って折れ曲がると共に、該連結部を境に左右のマットが持ち上がることによって、該両マットのマット面がペットの両側部を支えるようにしているペット用マットにしたことである。
【０００７】
前記ペット用マットは、消臭手段を含む（第４発明）こと、抗菌手段を含む（第５発明）ことが好ましい。
前記消臭手段は、たとえば、前記柔軟性と保形性を備えた素材に光消臭効果があるものを使用することや、前記柔軟性と保形性を備えた素材に活性炭等の消臭効果を有する素材を含ませること等の手段によって達成できる。
また、前記抗菌手段は、たとえば、生地に抗菌を施したり、前記柔軟性と保形性を備えた素材に抗菌を施したり、さらには、抗菌効果を有する素材を含ませたりする等の手段により達成できる。
【発明の効果】
【０００８】
本発明によれば、下記の優れた効果が期待できる。
請求項１によれば、ペットをペット用マットに寝かせることによって、持ち上がる左右のマットのマット面でペットの体の両側部が支えられるので、ペットの伏臥位を保持することができる。
したがって、ペット用マットに伏臥位の状態で寝かすだけでその状態が保持されるので、管理者が四六時中目を配らなくてもよく、しかもペットに対する床ずれを防止することができる。
すなわち、管理者の負担を軽減しながらペットの床ずれを防止することができる。
そして、床ずれが防止されるので、手術後や重傷のペットの早期回復が期待できる。
さらに、ペット用マットの連結部の折れ曲がりによって、折れ曲がりの角部とペットの腹部分との間に隙間ができ、この隙間により通気性を確保することができる。
また、軽量・小型のペットでも伏臥位の状態を確実に保持することができる。
また、請求項２によれば、消臭手段の消臭効果によって、ペット特有の臭いを抑制することができる。
また、請求項３によれば、抗菌手段の抗菌効果によって、ペットに対して悪影響を及ぼすような菌を付着させるようなことが防止できる。
【発明を実施するための最良の形態】
【０００９】
以下、本発明のペット用マット（以下、「マット」と略称する）を実施するための最良の形態を図面に基づいて説明する。
【００１０】
本形態のマット１は、外側のカバー２の内側に綿からなるクッション材３を充填して構成されたものである。
具体的には、四角形の袋状に形成されたカバー２にクッション材３を充填し、その周囲を縫製するとともに、中央部を全域に亘って縫製することによって、左右のマット１１，１２および当該左右のマット１１，１２を連結する連結部１３が構成されている。
又、マット１は、あらかじめ正面Ｖ型に形成し、該Ｖ字状の位置からペットＰの重みの作用によって連結部１３が更に折れ曲がると共に、左右のマット１１，１２が持ち上がるようにしている。
前記カバー２は、抗菌手段（図示せず）による抗菌が施された軟らかく滑らかな布地であり、所定形状に裁断されたものである。
前記クッション材３は、消臭手段として光消臭効果を有する人口綿を用いたものである。
【００１１】
前記連結部１３は、前記したように上下に位置する布地を縫製することによって、前記左右マット１１，１２の側面部の略中央部同士を連結する構成にされている。
具体的には、縫製する際に連結部１３内に前記クッション材３が入らないように、クッション材３を左右マット１１，１２へ均等に振り分け、この左マット１１の端部と右マット１２の端部を夫々縫製することによって、左右マット１１，１２に折れ曲がり幅を確保した薄状のフレキシブルな連結部１３として形成されている。
【００１２】
前記のように正面Ｖ字状に構成されたマット１によれば、ペットＰをマット１における連結部１３上に伏臥位にさせた状態で載せると、ペットＰの重みで連結部１３が折れ曲がるとともに、左右のマット１１，１２が持ち上がる。
このとき、マット１は、左右のマット１１，１２が持ち上がることによって、左右のマット１１，１２のマット面１１Ａ、１２ＡがペットＰの両側部Ｐ１，Ｐ２を支えることによって、ペットＰの伏臥位を保持することができる。
また、ペットＰの直下には左右マット１１，１２を連結する連結部１３によって空間Ｓが形成され、当該空間Ｓによって通気性を確保している。
また、正面略Ｖ字状に構成されたマット１の設置面１４は、ペットＰの重みである程度フラット面になるため、左右への揺れ動きが抑制される。
なお、小型・軽量のペットである場合、前記設置面１４の幅が狭くなるため左右に揺れ動く可能性が有るので、左右マットの裏側面を支持体（図示せず）で支えるようにしても良い。
【００１３】
本形態で例示したマット１は、カバー２の中にクッション材３を充填し、カバー２を縫製することによって、所定形状に形成してなるものであるが、本発明では、たとえば、スポンジ材を所定形状に成型してなる形態のものでも良いし、当該成型されたスポンジ材をカバーで被覆したものでも良い。
【００１４】
なお、本発明は、例示した実施の形態に限定するものでは無く、特許請求の範囲の各項に記載された内容から逸脱しない範囲の構成による実施が可能である。
【図面の簡単な説明】
【００１５】
【図１】本発明に係るペット用マットの平面図。
【図２】同、断面図で使用状態を示す。
【符号の説明】
【００１６】
１：マット
２：カバー
３：クッション
１１：左マット
１２：右マット
１３：連結部
１１Ａ：マット面
１２Ａ：マット面
Ｐ：ペット
【図１】
0003983769.tif 000002
【図２】
0003983769.tif 000003